(57)【要約】【課題】懸賞金付振込システム、方法、及びプログラムを提供する。【解決手段】本発明の一実施形態に係る発明は、懸賞金付振込システムであって、振込データから抽選番号を生成する抽選番号生成部１１１と、抽選番号から懸賞金の当選番号を決定する抽選処理部１１３と、当選番号から振込口座を識別し、懸賞金の振込依頼を送信する懸賞金振込処理部１１４とを備えたことを特徴とする。また、抽選結果通知部１１５をさらに備え、識別した振込口座の所有者に抽選結果を通知するようにしてもよい。【選択図】図１
2015191370.tif 000002
【特許請求の範囲】
【請求項１】
懸賞金付振込システムであって、
振込データから抽選番号を生成する抽選番号生成部と、
前記抽選番号から懸賞金の当選番号を決定する抽選処理部と、
前記当選番号から振込口座を識別し、前記懸賞金の振込依頼を送信する懸賞金振込処理部と
を備えたことを特徴とするシステム。
【請求項２】
前記振込データは、振込受取人口座への入金データを含むことを特徴とする請求項１に記載のシステム。
【請求項３】
前記振込データは、振込依頼人の口座からの出金データを含むことを特徴とする請求項１に記載のシステム。
【請求項４】
前記抽選番号は、前記振込データの振込日、支店コード、預金種目コード、及び預金口座番号を連結して生成されることを特徴とする請求項１に記載のシステム。
【請求項５】
前記抽選番号は、前記振込日が所定の期間内にある前記振込データから生成されることを特徴とする請求項４に記載のシステム。
【請求項６】
口座情報を記憶した口座情報データベースをさらに備え、
前記抽選番号生成部は、前記口座情報を参照して前記抽選番号を生成することを特徴とする請求項１に記載のシステム。
【請求項７】
前記口座情報は口座開設日を含み、
前記抽選番号は、前記口座開設日が所定の期間内にある口座についての前記振込データから生成されることを特徴とする請求項６に記載のシステム。
【請求項８】
前記当選番号から振込口座を識別し、前記振込口座の所有者に抽選結果を通知する抽選結果通知部をさらに備えたことを特徴とする請求項１に記載のシステム。
【請求項９】
前記抽選番号生成部は、所定の金額以上の振込データから、前記抽選番号を生成することを特徴とする請求項１に記載のシステム。
【請求項１０】
前記抽選番号生成部は、所定の金額以上の振込データの当選確率を上げるように重み付けして、前記抽選番号を生成することを特徴とする請求項１に記載のシステム。
【請求項１１】
前記抽選番号生成部は、所定の金融機関を利用した振込データの当選確率を上げるように重み付けして、前記抽選番号を生成することを特徴とする請求項１に記載のシステム。
【請求項１２】
銀行システムにおいて実行される方法であって、
振込データから抽選番号を生成することと、
前記抽選番号から懸賞金の当選番号を決定することと、
前記当選番号から振込口座を識別し、前記懸賞金の振込依頼を送信することと
を含むことを特徴とする方法。
【請求項１３】
銀行システムにおいて実行されるコンピュータプログラムであって、１つまたは複数のコンピュータに請求項１２に記載の方法を実行させるコンピュータプログラム。
【発明の詳細な説明】
【技術分野】
【０００１】
本発明は、金融機関における振込システム、方法、及びプログラムに関し、より具体的には、懸賞金付振込システム、方法、及びプログラムに関する。
【背景技術】
【０００２】
従来、個人や企業の間で資金の受渡しを行う為に、銀行の口座を利用した振込取引が行われている。銀行は、振込依頼人から振込入金の依頼を受け付けると、振込依頼人の口座から振込受取人の口座に対して資金移動を行う。例えば、同じ銀行の口座間で振込取引を行う場合は、振込依頼人の口座残高を減少させ、振込受取人の口座残高を増加させることで、資金移動を完了させる。また、異なる銀行の口座間で振込取引を行う場合は、全国銀行資金決済ネットワークが提供する全銀システムを介して振込依頼を送信または受信し、資金移動を完了させる。また、振込依頼人から直接現金を受け付けて、振込受取人の口座に入金し、資金移動を完了させることもある。
【０００３】
また、銀行は、利便性向上のために、振込入金の依頼を、営業店の端末、ＡＴＭ（現金自動預け払い機）、またはＥＢ（エレクトロニックバンキング）端末などを介して広く受け付けている。
【０００４】
このような振込取引は、確実に、利便性高く、かつ、安く実施することが利用者から求められている。
【発明の概要】
【発明が解決しようとする課題】
【０００５】
しかしながら、振込取引に関しては、多くの銀行で同様の処理が行われており、利用者に提供されるサービスレベルに大差はなく、振込取引に関するサービスを差別化することは困難であった。
【０００６】
本発明は、このような問題に鑑みてなされたものであり、その目的とするところは、振込取引に自行の口座を利用することを喚起し、自行の口座を利用する動機付けとなり得る懸賞金付振込システム、方法、およびプログラムを提供することにある。
【課題を解決するための手段】
【０００７】
本発明の一実施形態に係る発明は、懸賞金付振込システムであって、振込データから抽選番号を生成する抽選番号生成部と、前記抽選番号から懸賞金の当選番号を決定する抽選処理部と、前記当選番号から振込口座を識別し、前記懸賞金の振込依頼を送信する懸賞金振込処理部とを備えたことを特徴とする。
【０００８】
また、本発明の一実施形態に係る発明は、銀行システムにおいて実行される方法であって、振込データから抽選番号を生成することと、前記抽選番号から懸賞金の当選番号を決定することと、前記当選番号から振込口座を識別し、前記懸賞金の振込依頼を送信することとを含むことを特徴とする。
【図面の簡単な説明】
【０００９】
【図１】本発明の一実施形態に係るシステム構成を示す図である。
【図２】本発明の一実施形態に係る抽選番号生成処理を説明する図である。
【図３】本発明の一実施形態に係る抽選番号データベースを示す図である。
【図４】本発明の一実施形態に係る方法の処理フローを示す図である。
【発明を実施するための形態】
【００１０】
以下に、図面を参照しながら、本発明の実施形態について詳細に説明する。
【００１１】
図１は、本発明の一実施形態に係るシステムの構成を示すブロック図である。
【００１２】
銀行システム１０１は、勘定系システム１０２を備え、銀行の営業点端末１０３、ＡＴＭ１０４、ＥＢ端末１０５、及び全銀システム１０６と、インターネットや専用のネットワークを介して接続されている。
【００１３】
勘定系システム１０２は、銀行の営業店端末１０３から振込依頼を受け付け、振込処理を行うと、振込データを振込明細データベース（ＤＢ）１０８に記録する。営業店で受け付ける振込依頼には、振込依頼人の口座から出金し、それを振込受取人の口座に入金する場合と、振込依頼人から直接現金を受け取り、それを振込受取人の口座に入金する場合がある。振込依頼人の口座から出金する場合、振込明細ＤＢ１０８には振込データとして、振込依頼人口座からの出金データと、振込受取人口座への入金データが記録される。一方、現金振込の場合、振込受取人口座への入金データのみが記録される。
【００１４】
また、勘定系システム１０２は、ＡＴＭ１０４から振込依頼を受け付け、振込処理を行うと、振込データを振込明細ＤＢ１０８に記録する。ＡＴＭ１０４から受け付ける振込依頼には、振込依頼人の口座から出金するカード振込と、振込依頼人から直接現金を受け取る現金振込がある。カード振込の場合は、振込明細ＤＢ１０８には振込データとして、振込依頼人口座からの出金データと、振込受取人口座への入金データが記録される。一方、現金振込の場合、振込受取人口座への入金データのみが記録される。
【００１５】
また、勘定系システム１０２は、ＥＢ端末１０５から振込依頼を受け付け、振込処理を行うと、振込データを振込明細ＤＢ１０８に記録する。ＥＢ（エレクトリックバンキング）システムを利用した振込依頼は、ＥＢシステムのアカウントに対応する振込依頼人口座から出金される。したがって、振込明細ＤＢ１０８には振込データとして、振込依頼人口座からの出金データと、振込受取人口座への入金データが記録される。
【００１６】
また、勘定系システム１０２は、全銀システム１０６を介して他の銀行システム１０７から振込入金を受け付け、振込処理を行うと、振込データを振込明細ＤＢ１０８に記録する。この場合は他行からの振り込みであり、振込明細ＤＢ１０８には振込データとして、振込受取人口座への入金データが記録される。
【００１７】
銀行システム１０１はまた、懸賞金システム１１０を備え、振込明細ＤＢ１０８に記録された振込データに基づいて、懸賞金の抽選を実施する。
【００１８】
具体的には、懸賞金システム１１０の抽選番号生成部１１１が、振込明細ＤＢ１０８に記録された振込データに基づいて抽選番号を生成し、抽選番号ＤＢ１１２に記録する。
【００１９】
図２は、本発明の一実施形態に係る抽選番号生成処理を説明する図であり、振込明細ＤＢ１０８に記録された振込データ２０１を例示する。図２に例示した振込データ２０１は、振込受取人口座への入金データ２０１ａ、２０１ｂ、および、振込依頼人口座からの出金データ２０１ｃを含み、各データレコードは、「振込日」、「銀行コード」、「支店コード」、「預金種目コード」、「預金口座番号」、「振込金額」、および、「受取人名／依頼人名」等の項目を有する。なお、これらの図示した項目は例示のためのものであり、その他の項目を含むこともできる。
【００２０】
抽選番号生成部１１１は、振込日が所定の抽選期間内にある振込データについて、振込日Ａ、支店コードＢ、預金種目コードＣ、及び、預金口座番号Ｄを連結して抽選番号を生成する。
【００２１】
図３は、図２の振込データ２０１に基づいて生成された抽選番号データ３０１を示す。図示されるように、抽選番号データ３０１ａの抽選番号は、振込データ２０１ａの振込日Ａ（「20140310」）と、支店コードＢ（「101」）と、預金種目コードＣ（「21」）と、預金口座番号Ｄ（「1234567」）とを連結して生成される。他の抽選番号データ３０１ｂ及び３０１ｃも、対応する振込データ２０１ｂ及び２０１ｃに基づいて同様に生成される。なお、抽選番号データ３０１は、「懸賞金」の項目も有し、初めは「0」として記録される。
【００２２】
また、抽選番号生成部１１１は、所定の抽選対象口座を利用した振込データを対象として抽選番号を生成することもでき、その場合、抽選対象口座は、口座情報ＤＢ１０９を参照して決定される。口座情報ＤＢ１０９は、振込依頼人口座及び振込受取人口座を特定する支店コード、預金種目コード、預金口座番号とともに、口座開設日、連絡先電子メールアドレス、個人及び法人を区別する項目等を含む。
【００２３】
本発明の一実施形態による懸賞金付振込は、口座開設キャンペーンとして実施することができる。具体的には、所定の期間内に開設された口座を抽選対象口座として、懸賞金の抽選を実施することができる。この場合、懸賞金の抽選番号の生成は、口座情報ＤＢ１０９を参照し、口座開設日が所定の期間内にある口座についての振込データを抽選対象とする。また、口座情報ＤＢ１０９に記録された個人及び法人を区別する項目を参照して、個人の振込データのみを、抽選番号の生成の対象とすることもできる。
【００２４】
また、本発明の一実施形態による懸賞金付振込は、所定の金額以上の振込データを抽選対象としてもよい。この場合、懸賞金の抽選番号の生成は、振込データ２０１の「振込金額」が、所定の金額以上であるデータを対象とする。
【００２５】
また、本発明の一実施形態による懸賞金付振込は、所定の金額以上の振込データの当選確率を上げて、優遇するようにしてもよい。この場合、懸賞金の抽選番号を生成する際に、振込データ２０１の「振込金額」が所定の金額以上の振込データについて、それらの当選確率を重み付けし、後述する抽選処理にてその重み付けを利用し、所定の金額以上の振込データの当選確率を上げるようにしてもよい。
【００２６】
また、本発明の一実施形態による懸賞金付振込は、自行の口座間の振込データの当選確率を上げて、優遇するようにしてもよい。この場合、振込受取人に対する入金データを振込明細ＤＢ１０８に記録する際に、入金電文に含まれる仕向金融機関（振込資金を送る金融機関）の情報を参照し、自行の口座からの入金データである場合は、自行の口座からの入金データであることを記録する。また、振込依頼人の出金データを振込明細ＤＢ１０８に記録する際にも、自行の口座からの出金データであることを記録する。そして、懸賞金の抽選番号を生成する際には、それら自行の口座を利用した振込データの当選確率を重み付けし、後述する抽選処理にてその重み付けを利用し、自行の口座間の振込データの当選確率を上げるようにしてもよい。なお、他行からの入金データのみを対象とすることもできる。
【００２７】
懸賞金システム１１０の抽選処理部１１３は、抽選番号ＤＢ１１２に記録された抽選番号データから、任意のアルゴリズムを用いて懸賞金の当選番号を決定し、抽選番号ＤＢ１１２に懸賞金を記録する。例えば、任意の乱数生成アルゴリズムを用いて、所定の件数の当選番号を決定してよい。また、重み付けされた抽選番号の当選確率を上げるようにして、当選番号を決定してもよい。図３を参照すると、当選した抽選番号データ３０１ｂの「懸賞金」には、所定の金額（例えば、「100000」）が記録される。
【００２８】
懸賞金システム１１０の懸賞金振込処理部１１４は、抽選番号ＤＢ１１２において懸賞金が記録された抽選番号から振込対象口座を識別し、懸賞金の振込依頼を、勘定系システム１０２に送信する。振込対照口座の識別は、抽選番号に含まれた支店コード、預金種目コード、預金口座番号を抽出することにより行う。勘定系システム１０２は、懸賞金の振込依頼を受け付けると、懸賞金の振込処理を実施する。
【００２９】
懸賞金システム１１０の抽選結果通知部１１５は、抽選番号ＤＢ１１２において懸賞金が記録された抽選番号から振込対象口座を識別し、識別した振込対象口座の所有者に、当選結果を通知する。振込対象口座の識別は、上述したように、抽選番号に含まれた支店コード、預金種目コード、預金口座番号を抽出することにより行う。本発明の一実施形態によると、抽選結果通知部１１５は口座情報ＤＢ１０９を参照して、識別した振込対象口座の連絡先電子メールアドレスを抽出し、当該連絡先電子メールアドレス宛てに、当選結果を通知する電子メールを送信する。また、本発明の別の一実施形態によると、識別した振込対象口座の所有者がＥＢシステムのアカウントを有している場合、ＥＢシステムを通じて当選結果を通知することもできる。
【００３０】
なお、本発明に係る銀行システム１０１を構成する１つまたは複数のコンピュータは、処理装置（ＣＰＵ）、メモリ、記憶装置、入出力装置などを備え、メモリ又は記憶装置に記憶されたコンピュータプログラムを処理装置（ＣＰＵ）が処理することによって統括的に制御され、本発明に係る処理を実施し、その機能を実現する。図１を参照して上述したシステム構成は、例示のためのものであり、本発明を実施することができるシステム構成を限定するものではない。
【００３１】
次いで、図４を参照して、本発明の一実施形態に係る方法の処理フローを説明する。図４は、本発明の一実施形態に係る懸賞金システム１１０が実行する方法の処理フローを示す。
【００３２】
ステップ４０１において、懸賞金システム１１０の抽選番号生成部１１１は、振込明細ＤＢ１０８に記録された振込データに基づいて、懸賞金の抽選番号を生成し、抽選番号ＤＢ１１２に記録する。抽選番号生成部１１１は、必要に応じて口座情報ＤＢ１０９も参照し、抽選対象の振込データを決定する。
【００３３】
次いで、ステップ４０２において、懸賞金システム１１０の抽選処理部１１３は、抽選番号ＤＢ１１２に記録された抽選番号から当選番号を決定し、当選した抽選番号データに所定の懸賞金額を記録する。
【００３４】
ステップ４０３において、懸賞金システム１１０の懸賞金振込処理部１１３は、抽選番号ＤＢ１１２において懸賞金が記録された抽選番号から振込対象口座を識別し、識別した振込対象口座に対する懸賞金の振込依頼を、勘定系システム１０２に送信する。
【００３５】
ステップ４０４において、懸賞金システム１１０の抽選結果通知部１１４は、抽選番号ＤＢ１１２において懸賞金が記録された抽選番号から振込対象口座を識別し、振込対象口座の所有者に抽選結果を通知する。
【００３６】
なお、上記ステップ４０３及び４０４は、図示した順番に限らず、並行して実行してもよい。
【００３７】
以上説明したように、本発明によると、自行の口座を利用した振込依頼人及び振込受取人に懸賞金抽選権を付与することにより、振込取引に自行の口座を利用することを喚起することができる。また、懸賞金の抽選には、振込取引を行うだけで自動的にエントリーされ、当選した場合は、自動的に利用口座に懸賞金が振り込まれるので、振込取引の利用者には余計な手間をかけずに実施することができる。加えて、懸賞金を受け取るために利用者が金融機関の窓口を訪れ、本人確認などの作業を行う必要もないので、金融機関においても、更なる作業負担をかけずに実施することができる。
【符号の説明】
【００３８】
１０１  銀行システム
１０２  勘定系システム
１０３  営業店端末
１０４  ＡＴＭ
１０５  ＥＢ端末
１０６  全銀システム
１０７  他の銀行システム
１０８  振込明細
１０９  口座情報
１１０  懸賞金システム
１１１  抽選番号生成部
１１２  抽選番号
１１３  懸賞金振込処理部
１１４  抽選結果通知部
【図１】
2015191370.tif 000003
【図２】
2015191370.tif 000004
【図３】
2015191370.tif 000005
【図４】
2015191370.tif 000006